(57)【要約】【課題】  極板群の押さえ効果が十分な鉛蓄電池を得る。【解決手段】  電槽１の上部を電槽蓋２で液密に閉じる。電槽１内に極板群４を電解液５と共に収容する。電槽蓋２に液栓７を液密に貫通して設ける。電槽１内に突出する液栓７の部分は、極板群４の上面に達する長さを有している。【選択図】    図１
2005235503.tif 000002
【特許請求の範囲】
【請求項１】
電槽の上部が電槽蓋で液密に閉じられ、前記電槽内に極板群が電解液と共に収容され、前記電槽蓋に液栓が液密に貫通して設けられている鉛蓄電池において、
前記電槽内に突出する前記液栓の部分が、前記極板群の上面に達する長さを有していることを特徴とする鉛蓄電池。
【請求項２】
前記電槽内に突出する前記液栓の部分が下端を開口させた筒状をなしており、前記電解液の液面より上側の筒状の前記液栓の部分に通気を行う部分が開口されていることを特徴とする請求項１に記載の鉛蓄電池。
【請求項３】
電槽の上部が電槽蓋で液密に閉じられ、前記電槽の各セル室内にそれぞれ極板群が電解液と共に収容され、前記各セル室の上部の前記電槽蓋にそれぞれ液栓が液密に貫通して設けられ、隣接するセル室内の前記極板群の極柱が隔壁を貫通する貫通溶接部で電気的に接続されている鉛蓄電池において、
前記電槽内に突出する前記各液栓の部分が、対応する前記極板群の上面に達する長さをそれぞれ有していることを特徴とする鉛蓄電池。
【請求項４】
前記電槽内に突出する前記各液栓の部分がそれぞれ下端を開口させた筒状をなしており、前記電解液の液面より上側の筒状の前記各液栓の部分に通気を行う部分がそれぞれ開口されていることを特徴とする請求項３に記載の鉛蓄電池。
【発明の詳細な説明】
【技術分野】
【０００１】
本発明は、鉛蓄電池に関するものである。
【背景技術】
【０００２】
従来の鉛蓄電池は、電槽内の各セル室に極板群を収容した後、隣接するセル室内の極板群の中間極柱を隔壁を貫通する貫通溶接部で電気的に接続する。次に、電槽を閉塞するため、電槽と電槽蓋をヒートシールにて接合する。その後、各セル室内に電槽蓋の注液口から電解液を注液し、各注液口を液栓にて閉じる。
【０００３】
しかしながら、このような鉛蓄電池が、自動車・建設機械・農機具等の車両に搭載された場合には、車両の振動により電槽内の極板群も極柱を支点として一緒に振動してしまい、端子極柱や中間極柱に亀裂・折損等の不具合が生ずる原因となっていた。
【０００４】
そこで、このような鉛蓄電池の電槽蓋の裏側にストラップ押さえ部を設けて、極板群のストラップを押さえるようにしていた（例えば、特許文献１参照。）。
【特許文献１】特開２００２−４２７４７号公報（図１）
【発明の開示】
【発明が解決しようとする課題】
【０００５】
しかしながら、このように電槽蓋の裏側にストラップ押さえ部を設けた従来の鉛蓄電池では、ストラップを押さえているため、鉛蓄電池が振動を受けた際に、極板群が極柱を中心に回転する動きを押さえることができず、端子極柱や中間極柱に亀裂・折損等の不具合が生ずるのを十分に防止することができない問題点があった。
【０００６】
本発明の目的は、極板群の押さえ効果が十分な鉛蓄電池を提供することにある。
【課題を解決するための手段】
【０００７】
本発明は、電槽の上部が電槽蓋で液密に閉じられ、前記電槽内に極板群が電解液と共に収容され、前記電槽蓋に液栓が液密に貫通して設けられている鉛蓄電池を対象とする。
【０００８】
本発明に係る鉛蓄電池では、前記電槽内に突出する前記液栓の部分が、前記極板群の上面に達する長さを有していることを特徴とする。
【０００９】
この場合、前記電槽内に突出する前記液栓の部分が下端を開口させた筒状をなしており、前記電解液の液面より上側の筒状の前記液栓の部分に通気を行う部分が開口されていることが好ましい。
【００１０】
また本発明は、電槽の上部が電槽蓋で液密に閉じられ、前記電槽の各セル室内にそれぞれ極板群が電解液と共に収容され、前記各セル室の上部の前記電槽蓋にそれぞれ液栓が液密に貫通して設けられ、隣接するセル室内の前記極板群の極柱が隔壁を貫通する貫通溶接部で電気的に接続されている鉛蓄電池を対象とする。
【００１１】
本発明に係る鉛蓄電池では、前記電槽内に突出する前記各液栓の部分が、対応する前記極板群の上面に達する長さをそれぞれ有していることを特徴とする。
【００１２】
この場合、前記電槽内に突出する前記各液栓の部分がそれぞれ下端を開口させた筒状をなしており、前記電解液の液面より上側の筒状の前記各液栓の部分に通気を行う部分がそれぞれ開口されていることが好ましい。
【発明の効果】
【００１３】
本発明の鉛蓄電池では、電槽内に突出する液栓の部分が、極板群の上面に達する長さを有しているので、この電槽内に突出する液栓の部分で極板群の上面を押さえることができ、このため電槽に振動が加わっても、電槽に対する極板群の振動を防止でき、極柱やストラップ部の亀裂・折損等を防止することができる。
【００１４】
この場合、電槽内に突出する液栓の部分が下端を開口させた筒状をなしていて、電解液の液面より上側の筒状の液栓の部分に通気を行う部分が開口されていると、該液栓からの電槽内の排気も支障なく行わせることができる。
【００１５】
また本発明の鉛蓄電池では、電槽内に突出する各液栓の部分が、対応する極板群の上面に達する長さをそれぞれ有しているので、この電槽内に突出する各液栓の部分で各極板群の上面を押さえることができ、このため電槽に振動が加わっても、電槽に対する各極板群の振動を防止でき、極柱やストラップ部の亀裂・折損等を防止することができる。
【００１６】
この場合、電槽内に突出する各液栓の部分がそれぞれ下端を開口させた筒状をなしていて、電解液の液面より上側の筒状の各液栓の部分に通気を行う部分がそれぞれ開口されていると、各液栓からの各セル室内の排気も支障なく行わせることができる。
【発明を実施するための最良の形態】
【００１７】
本発明に係る鉛蓄電池を実施するための最良の形態の一例を図１及び図２を参照して詳細に説明する。図１は本例の鉛蓄電池の縦断面図、図２は本例で用いる液栓の縦断面図である。
【００１８】
本例の鉛蓄電池は、合成樹脂製の電槽１の上部に合成樹脂製の電槽蓋２が被せられ、両者はヒートシールにて液密に閉じられている。電槽１の各セル室３内には、それぞれ極板群４が電解液５と共に収容されている。各セル室３の上部の電槽蓋２の注液口６には、それぞれ液栓７がねじ込みで液密に貫通して取り付けられている。隣接するセル室３内の各極板群４の中間極柱８は、隔壁９を貫通する貫通溶接部１０で電気的に接続されている。
【００１９】
液栓７は、筒部１１を有し、この筒部１１の上端は上蓋部１２で閉じられ、この上蓋部１２には排気孔１３が貫通して設けられている。この筒部１１の下部は下蓋部１４で平に閉じられ、この下蓋部１４にも開口部１５が設けられている。このような液栓７の電槽１内に突出する部分、即ち該液栓７の各セル室３内に突出する部分は、対応する極板群４の上面に達する長さをそれぞれ有している。換言すれば、液栓７の各セル室３内に突出する部分は、対応する極板群４の上面を押さえる長さをそれぞれ有している。また、電槽内の各セル室３内に突出する液栓７の部分で、電解液５の液面５ａより上側の筒状の各液栓７の筒部１１には、通気を行う部分１６としての孔がそれぞれ開口されている。各液栓７の筒部１１内には、防沫部材１７が配置されている。
【００２０】
このように電槽１内に突出する各液栓７の部分が、対応する極板群４の上面に達する長さをそれぞれ有していると、この電槽１内に突出する各液栓７の部分で各極板群４の上面を押さえることができ、このため電槽１に振動が加わっても、電槽１に対する各極板群４の振動を防止でき、極柱８やストラップ部の亀裂・折損等を防止することができる。
【００２１】
この場合、図示のように電槽１内に突出する各液栓７の部分がそれぞれ下端を開口させた筒状をなしていて、電解液５の液面５ａより上側の筒状の各液栓７の部分に通気を行う部分１６がそれぞれ開口されていると、各液栓７からの各セル室３内の排気も支障なく行わせることができる。
【００２２】
本発明は、電槽１内に１組の極板群４が収容されているタイプのみならず、電槽１の複数のセル室内にそれぞれ極板群４が収容されているタイプにも適用することができる。
【００２３】
また、液栓７の筒部１１の通気を行う部分１６は、孔に限らず、現在の孔の位置から筒部１１の下端に達するスリット等であってもよい。
【図面の簡単な説明】
【００２４】
【図１】本発明に係る鉛蓄電池を実施するための最良の形態の一例の縦断面図である。
【図２】本例で用いる液栓の縦断面図である。
【符号の説明】
【００２５】
１  電槽
２  電槽蓋
３  セル室
４  極板群
５  電解液
５ａ  液面
６  注液口
７  液栓
８  中間極柱
９  隔壁
１０  貫通溶接部
１１  筒部
１２  上蓋部
１３  排気孔
１４  下蓋部
１５  開口部
１６  通気を行う部分
１７  防沫部材
【図１】
2005235503.tif 000003
【図２】
2005235503.tif 000004